(57)【要約】【課題】波長多重装置において、クライアントネットワークから入力される光信号の波長を変換するインタフェース部と、波長の異なる複数の光信号を多重化する波長多重部との間の光ファイバケーブルの接続確認を、既存サービスに影響を与えずに実施する。【解決手段】波長多重装置内の監視制御部により、同装置内で使用可能な全波長の使用状態を管理し、同装置内で使用されていない波長を検出して接続確認に使用することにより、装置内で干渉が起こるのを防ぐ。また、波長多重部内に波長フィルタ部を設け、接続確認時には接続確認に使用する波長を通過阻止することにより、接続確認に使用した光信号が波長多重部から送出され、コアネットワーク内で他装置から出力された同波長の光信号に干渉することを防ぐ。【選択図】図４
2012249055.tif 000002
【特許請求の範囲】
【請求項１】
クライアント装置からの光信号を電気信号に変換する受光部とこの電気信号を再び光信号に変換する波長可変発光部とからなるトランスポンダと、前記波長可変発光部からの光信号の強度をモニタする受光監視部と前記波長可変発光部からの光信号をブロックするフィルタ部とこのフィルタ部の出力を合波する合波部とからなる波長多重部と、前記トランスポンダと前記波長多重部とを制御する監視制御部と、からなる波長多重装置において、
前記監視制御部は、波長グリッド毎の使用／非使用を管理する使用波長管理テーブルを備え、前記トランスポンダと前記波長多重部との接続確認に際して、前記フィルタ部をブロック状態に遷移し、前記波長管理テーブルで非使用な波長で前記波長可変発光部を発光させ、前記受光監視部で受光の有無を確認することを特徴とする波長多重装置。
【発明の詳細な説明】
【技術分野】
【０００１】
本発明は、波長多重装置に係り、特にインタフェース部と波長多重部との間の特定波長による接続確認機能の実現方法に関する。
【背景技術】
【０００２】
インターネットに代表されるデータトラヒックの急増により、通信ネットワークの伝送容量の大容量化が進んでいる。大容量化は、伝送信号を光化し、時分割多重技術および光波長多重技術を用いて実現されている。１チャネルあたり毎秒１０Ｇｂｉｔ／ｓ、４０Ｇｂｉｔ／ｓ、１００Ｇｂｉｔ／ｓの信号を扱う伝送装置および数チャネルから数十チャネル分の信号を１本の光ファイバに波長多重し、光増幅器または再生中継器等を用いて、数百ｋｍを超える長距離伝送が可能なポイント・ツー・ポイント型の波長多重装置が実用化されている。また後の伝送容量の需要増、さらなる経済化およびサービスの多様化に対応するため、伝送装置を環状に接続したリング型光ネットワーク、複数のリング型光ネットワークを一部の接点で接続したマルチリング型ネットワーク、更に経路選択の自由度を増すために網目状に接続したメッシュ型光ネットワークが導入されている。このような光ネットワークは、各伝送装置を遠隔一元管理する網監視制御システムによる運用の簡素化、または各伝送装置の監視制御部が相互連携で、回線の始点から終点までの、エンド・ツー・エンドのパス管理の容易化、およびパス設定の高速化が期待できる。さらに、高度な光伝送技術を用いて、電気・光変換せずに光信号のまま伝送装置を通過（スルー）させる構成とすることで、網全体を経済的に実現できる。
【０００３】
図１を参照して、波長多重装置を用いて構成されたネットワークの構成を説明する。図１において、コアネットワーク２００は、３台の光分岐挿入多重装置（ＯＡＤＭ：Optical Add Drop Multiplexer）１０７によって構成されたリング型ネットワークである。ＯＡＤＭ装置１０７には、波長多重装置１０１が接続されている。波長多重装置１０１は、クライアントネットワークを形成する外部装置１０６からの複数のクライアント信号を波長多重する。
【０００４】
波長多重装置１０１は、波長多重部１０２と、インタフェース部１０３とから構成される。インタフェース部１０３は、３つのトランスポンダ部１０４から構成される。トランスポンダ部１０４は、外部装置１０６より入力されたクライアント信号を、波長多重可能とするためにそれぞれ異なった波長の光信号へと変換し、波長多重部１０２へ送信する。波長多重部１０２は、受信した複数の光信号を合分波器１０５によって多重化し、コアネットワークを構成しているＯＡＤＭ装置１０７へと送信する。ＯＡＤＭ装置１０７は、波長多重装置１０１から受信した多重化された光信号をコアネットワーク２００へと挿入（Ａｄｄ）する。また、ＯＡＤＭ装置１０７は、コアネットワーク２００から任意の複数の波長の信号を選択的に取り出し（Ｄｒｏｐ）、波長多重装置１０１へと送信する。
【０００５】
波長多重装置１０１の合分波部１０５は、その信号をさらに波長毎に分岐し、トランスポンダ１０４を介してユーザネットワークへと送信する。
【０００６】
以上のように、波長多重装置１０１は、ポイント・ツー・ポイント型ネットワークに限らず、リング型光ネットワークをはじめとするコアネットワーク２００においても不可欠である。
【０００７】
波長多重装置１０１の一般的な装置構成として、波長多重部１０２とインタフェース部１０３は、各々独立した専用のカードや専用のユニットとして構成されることが多い。このとき波長多重部１０２と、インタフェース部１０３間の物理的な通信路は、それぞれの信号入出力用光コネクタを、光ケーブルによって接続することで確保される。
【０００８】
波長多重部１０２は、一般に、複数のトランスポンダ部と接続されるため、光ケーブルを挿入するための同型の光コネクタが複数並んだ構成となっている。また、波長多重部１０２とインタフェース部１０３は、独立した専用カードや専用ユニットとして構成されているため、同じ架内に配置されるとは限らない。そのため、ケーブル接続作業を行なう作業者が、接続したい光コネクタとは異なる箇所へ誤接続してしまう可能性がある。また、ケーブル接続が正常に行なわれていたとしても、光ケーブルの断線や光コネクタの故障により、通信路が確保できない可能性もある。以上のようなことから、接続作業を行なったあと、正常に接続され通信路が確保されたということを容易に確認することが必要である。
【０００９】
接続確認の方法として、接続元インタフェース部１０３の発光部を発光させ、接続先である波長多重部１０２の受光部において受光光強度を確かめることにより正常に接続されていることを確かめることが一般的である。ただし、トランスポンダ部１０４の発光部を発光させる際には、必ず発光に使用する波長を指定する必要があり、このとき不適切な波長で発光した場合、他の信号に干渉し、サービスに影響を与えてしまう。
【００１０】
図２を参照して、従来の波長多重装置１０１において、インタフェース部１０３の発光部１１５のうち複数の発光部で、同じ波長を使用して同時に発光した場合に、光信号の干渉が起こることを説明する。図２において、波長多重装置１０１は、波長多重部１０２と、インタフェース部１０３と、監視制御部１１７とから構成される。
【００１１】
波長多重部１０２は、合分波器１０５と、３台の受光部１０８と、３台の光強度監視部１０９と、受光監視部１１０と、装置内通信部１１２とから構成される。インタフェース部１０３は、３台のトランスポンダ１０４から構成される。監視制御部１１７は、装置内通信部１１８と、外部通信部１１９とから構成される。トランスポンダ１０４は、受光部１１３と、波長可変発光部１１５と、装置内通信部１１６とから構成される。
【００１２】
なお、実際にはコアネットワーク側より入力され、波長多重部１０２によって分波されてインタフェース部１０３よりクライアント側へ送出する光信号も存在する。しかし、ここでは簡単のためクライアントネットワーク側からインタフェース部１０３へ入力されて波長多重部１０２で多重化され、コアネットワーク側へ送出される方向の光信号のみを図示している。
【００１３】
図２において、波長多重装置１０１は、波長多重部１０２と、インタフェース部１０３と、装置制御部１１７とから構成されている。波長多重部１０２は、３台の受光部１０８と、３台の光強度監視部１０９と、合分波器１０５と、受光監視部１１０と、装置内通信部１１２とを含む。インタフェース部１０３は、３台のトランスポンダ部１０４を含む。監視制御部１１７は、装置内通信部１１８と、外部通信部１１９とを含む。トランスポンダ１０４は、受光部１１３と、波長可変発光部１１５と、装置内通信部１１６とから構成されている。
【００１４】
外部通信部１０８は、ローカル制御端末１２０と接続されている。装置内通信部１１８は、装置内通信部１１２、１１６と接続されている。受光部１０８は、図示しない９：１カプラーとフォトダイオードである。受光部１０８は、光信号を２分岐し、９０％の光を合分波器１０５に送信し、１０％の光をフォトダイオードで電流に変換する。光強度監視部１０９は、電流−電圧変換する。受光監視部１１０は、光強度監視部１０９の電圧から、受光部１０８が受光しているか否か判定する。受光監視部１１０は、判定結果を装置内通信部１１２を介して、ローカル制御端末１２０に送信する。合分波器１０５は、受光部１０８からの光信号を波長多重して、波長多重光信号を生成する。
【００１５】
受光部１１３は、フォトダイオード等である。受光部１１３は、クライアントネットワークからの光信号を電気信号に変換する。波長可変発光部は、電気信号を装置内通信部の指示に基づく波長の光信号に変換する。
【００１６】
図２に示す波長多重装置１０１を用いて、新たにクライアントネットワークを収容するためには、必要に応じてトランスポンダ部を増設し、トランスポンダ部と波長多重部１０２を光ファイバによって接続する。例として、トランスポンダ部１０４−１を使用する場合、トランスポンダ部１０４−１の発光部１１５−１と、波長多重部１０２の受光部１０８−１、１０８−２、１０８−３のうちいずれかをケーブルにより接続する。このとき正常に接続されたことを確認するためには、トランスポンダ部１０４−１の発光部１１５−１から発光させ、接続先の波長多重部受光部に対応する光強度監視部（１０９−１、１０９−２、１０９−３のいずれか）において、受光強度が閾値以上となることを確認する。しかしこのとき仮に図２のトランスポンダ部１０４−２および波長多重部の別の受光部を用いて既にサービスを運用中である場合、トランスポンダ部１０４−２で使用している波長と同じ波長にてトランスポンダ部１０４−１の発光部１１５−１を発光させると、波長多重部１０２の合分波器１０５の位置で光信号の干渉が起こり、既存のサービスの運用を妨げてしまう。
【００１７】
また、接続確認に用いた光信号は、合波部１０５で多重化されたのち、外部へと送出され、そこに接続されたＯＡＤＭ装置１０７によりコアネットワークへと光挿入分岐が行なわれることがある。このとき、装置内では同じ波長が使用されていなかった場合であっても、他装置から入力されて同コアネットワークへ収容される別の光信号がこれと同じ波長を使用していた場合、干渉が起こり、サービスに影響を与えてしまう。
【００１８】
この干渉を回避する技術として、試験用の光信号の波長に、データを運搬する主信号と異なる波長を用いることは、特許文献１ないし特許文献３に開示されている。
【先行技術文献】
【特許文献】
【００１９】
【特許文献１】特開平１１−２７５０１４号
【特許文献２】特開平１１−２７５０１６号
【特許文献３】特開２００８−０４２７２３号
【発明の概要】
【発明が解決しようとする課題】
【００２０】
上述したように、既にサービスを運用している波長多重装置１０１において、上記のような手順で接続確認を実施する場合、接続確認に使用する波長は、同装置内ですでに使用している波長、および波長多重部より送出された信号が挿入されるコアネットワークにおいてすでに使用されている波長と干渉を起こさないよう、異なる波長を選択する必要がある。
【００２１】
実際に上記手順のような接続確認が有効な場面の例として、ケーブル接続作業を行なった作業者が、接続作業を行なった直後に接続確認を実施するというケースがある。このような場合、装置が設置された局内において、ローカル制御端末１２０等を用いて接続確認を実施するのが一般的である。ただし、このとき接続確認の為に発光させた干渉により提供中のサービスに影響を及ぼすことを避けるためには、同装置内で使用中の波長、および接続されるコアネットワークで使用されている波長を全て把握している必要がある。しかし、図２に示すように、ローカル制御端末１２０は、一台の波長多重装置１０１と接続され、直接接続された波長多重装置１０１のみを監視制御可能であり、他装置で使用されている波長までは管理することができない。
【００２２】
コアネットワークを構成する複数の装置を監視制御可能な装置として、図３に示すオペレーション装置１２３がある。図３において、オペレーション装置１２３は、コアネットワーク２００を構成するＯＡＤＭ装置１０７のそれぞれに接続されている。オペレーション装置１２３は、接続確認を実施する波長多重装置１０１を含め、コアネットワークを構成している全ての伝送装置を監視制御可能であり、実際の運用の際には、インタフェース部１０３への発光指示、波長の指定は、オペレーション装置１２３から行なう。オペレーション装置１２３では、同ネットワーク内で使用可能な全波長について、使用中かもしくは未使用かの状態を管理しており、インタフェース部１０３への発光指示時には必ず未使用の波長を使用する。
【００２３】
特許文献に示した先行技術において、接続確認に使用する波長を決定するためには、オペレーション装置１２３によって同ネットワーク内で使用可能な波長のうち未使用のものを選択し、接続確認に使用していると考えられる。
【００２４】
これに対し、ローカル制御端末１２０では、直接接続された波長多重装置１０１以外の装置で使用されている波長を管理することができず、ネットワーク全体で使用されている波長を把握できないため、局建時にローカル制御端末１２０によって他の信号に影響を与えずに接続確認を実施するためには、各波長多重装置内部に、干渉を避けて接続確認を実施する仕組みが必要となる。
【００２５】
本発明の目的は、局建時に波長多重装置１０１に直接接続されたローカル制御端末１２０を用いて接続確認を実施する場合に代表されるように、同装置から出力される光信号が挿入されるコアネットワークでの使用波長を管理できない状況において、インタフェース部の発光部および波長多重部の受光部間の接続を、他の既存サービスに影響を与えることなく実施することである。
【課題を解決するための手段】
【００２６】
波長多重装置において、クライアントネットワークから入力される光信号の波長を変換するインタフェース部と、波長の異なる複数の光信号を多重化する波長多重部との間の光ファイバケーブルの接続確認を既存サービスに影響を与えずに実施する。
【００２７】
具体的には、波長多重装置内の監視制御部により、同装置内で使用可能な全波長の使用状態を管理し、同装置内で使用されていない波長を検出して接続確認に使用することにより、装置内で干渉が起こるのを防ぐ。また、波長多重部内に波長フィルタ部を設け、接続確認に使用する波長を装置外部へ出力されることを阻止することで、接続確認に使用する光信号が波長多重部から出力され、コアネットワーク内で他装置から出力された同波長の光信号に干渉することを防ぐ。
【００２８】
上述した課題は、クライアント装置からの光信号を電気信号に変換する受光部とこの電気信号を再び光信号に変換する波長可変発光部とからなるトランスポンダと、波長可変発光部からの光信号の強度をモニタする受光監視部と波長可変発光部からの光信号をブロックするフィルタ部とこのフィルタ部の出力を合波する合波部とからなる波長多重部と、トランスポンダと波長多重部とを制御する監視制御部と、からなる波長多重装置において、監視制御部は、波長グリッド毎の使用／非使用を管理する使用波長管理テーブルを備え、トランスポンダと波長多重部との接続確認に際して、フィルタ部をブロック状態に遷移し、波長管理テーブルで非使用な波長で波長可変発光部を発光させ、受光監視部で受光の有無を確認する波長多重装置により、達成できる。
【発明の効果】
【００２９】
波長多重部とインタフェース部からなる波長多重装置において、複数インタフェース部からの同波長による同時発光が行なわれた場合の信号の干渉を回避し、且つ、既存サービスに影響を与えない波長を自動検出して、波長多重部とインタフェース部との間の接続性を確認することを可能とする。
【図面の簡単な説明】
【００３０】
【図１】波長多重装置を含むネットワークの構成を説明するブロック図である。
【図２】一般的な波長多重装置において、複数のトランスポンダ部の同一波長同時発光により干渉が起こることを説明するブロック図である。
【図３】オペレーション装置の位置づけを説明するブロック図である。
【図４】波長多重装置の構成を説明するブロック図である。
【図５】フィルタ部の構成を説明するブロック図である。
【図６】接続確認時の主なメッセージ内容を説明する図である。
【図７】波長管理テーブルを説明する図である。
【図８】接続確認時の各部間の通信を説明する図である。
【図９】接続確認時の波長多重部での受光有無判定処理を説明するシーケンス図である。
【図１０】接続確認に使用する波長を決定する手順を説明するフローチャートである。
【発明を実施するための形態】
【００３１】
以下、本発明の実施の形態について、実施例を用い図面を参照しながら詳細に説明する。なお、実質同一部位には同じ参照番号を振り、説明は繰り返さない。
【００３２】
図４を参照して、本実施例における波長多重装置の構成を説明する。図４において、波長多重装置１０１Ａは、波長多重部１０２Ａと、インタフェース部１０３と、装置制御部１１７Ａとから構成されている。波長多重部１０２は、３台の受光部１０８と、３台の光強度監視部１０９と、合分波器１０５と、受光監視部１１０と、装置内通信部１１２と、フィルタ部１２１とを含む。インタフェース部１０３は、３台のトランスポンダ部１０４を含む。監視制御部１１７Ａは、装置内通信部１１８と、外部通信部１１９と、使用波長管理テーブル１２２とを含む。トランスポンダ１０４は、受光部１１３と、波長可変発光  図４の波長多重装置１０１Ａと図２の波長多重装置１０１との違いは、波長フィルタ部１２１が合分波器１０５と受光部１０８に追加され、監視制御部１７７内に使用波長管理テーブル１２２が追加されている。波長フィルタ部１２１は、受光部１０８を通過した光信号に対し、通過させるかもしくは遮断するかを波長単位で制御する。
【００３３】
この波長フィルタ部１２１の機能により、特定の波長を遮断するように設定することで、その波長の光信号を装置外部には出力しないようにする。そのため接続確認に使用した光信号が、波長多重部１０２の送信部１１１から外部へと送出され、そこに接続されたＯＡＤＭ装置１０７において光挿入分岐された場合に、同じ波長を使用していた既存信号に干渉してしまうという事態を防ぐことができる。
【００３４】
図５を参照して、フィルタ部１２１の詳細な構成を説明する。図５において、フィルタ部１２１は、複数の１×２スイッチ１２５で構成されている。ここで、１×２スイッチ１２５は、１入力２出力の光スイッチである。１×２スイッチ１２５の入力は、受光部１０８の通過出力である。１×２スイッチ１２５の２出力は、合分波器１０５の一つの入力と図示しない光終端器である。光終端器は、反射なく光を吸収する。
【００３５】
保守者がケーブル接続確認を実施する場合の、図４に示す波長多重装置における各部での処理の概要と各部間で送受信されるメッセージについて、図６に示すメッセージ構成の図を用いて説明する。図６（ａ）は、ローカル制御端末１２０から波長多重装置１０１Ａの監視制御部１１７Ａへ送信されるメッセージフォーマットである。一方、図６（ｂ）は、監視制御部１１７Ａからインタフェース部１０３へ送信されるメッセージフォーマットである。
【００３６】
図６（ａ）において、メッセージは、（１）インタフェース部発光部ＩＤ、（２）波長多重部側ポートＩＤ、（３）波長の指定有無、（４）指定波長を含む。なお、（３）波長の指定有無が、無のとき、（４）指定波長は、省略される。
図６（ｂ）において、メッセージは、（１）インタフェース部発光部ＩＤ、（２）接続確認に使用する波長を含む。
【００３７】
図７を参照して、監視制御部１１７Ａが保持する使用波長管理テーブル１２２を説明する。図７において、使用波長管理テーブル１２２は、波長１２２１のコラムと使用中／未使用１２２２のコラムが対応付けられている。波長１２２１は、波長多重装置１０１Ａが使用する全グリッドの波長を記載する。使用中／未使用１２２２は、該当波長を波長多重装置１０１Ａが使用中のとき「１」を、未使用のとき「０」を記録する。
【００３８】
図８を参照して、インタフェース部１０３の波長可変発光部１１５−３と波長多重部１０２の受光部１０８−３との接続を確認するシーケンスを説明する。図８において、接続確認を実施する保守者は、波長多重装置１０１Ａに接続されたローカル制御端末１２０より、接続確認を実施したいインタフェース部の波長可変発光部、および波長多重部の受光部を指定し、さらに接続確認に使用する波長を指定したい場合は使用する波長を入力し、接続確認を開始する。ここでは保守者はインタフェース部の波長可変発光部１１５−３と波長多重部側受光部１０８−３を指定する。
【００３９】
保守者の操作によりローカル制御端末１２０は、波長多重装置１０１Ａへと接続確認指示を送信する（Ｓ２０１）。接続確認指示を受信した監視制御部１１７Ａは、指定された波長多重部側受信部１０８−３が他のサービスに使用されていないことを確認するため、波長多重部１０２Ａへ受光確認指示を送信する（Ｓ２０２）。波長多重部１０２Ａは、この指示を受け、受信部１０８−３における受光の有無を判定する（Ｓ２０３）。波長多重部１０２Ａは、監視制御部１１７Ａへと応答を返す（Ｓ２０４）。監視制御部１１７Ａは、接続確認に使用する波長を決定する（Ｓ２０６）。監視制御部１１７Ａは、インタフェース部へ発光を指示する前に、波長多重部１０２Ａへ接続確認に使用する光信号が外部へ送出されるのを防止するため、波長多重部へフィルタ遮断指示を送信する（Ｓ２０７）。指示を受けた波長多重部１０２Ａは、波長フィルタ部１２１にて指定された波長の信号を遮断するよう設定する（Ｓ２０８）。この操作により、接続確認に使用される光信号は波長フィルタ部１２１にて遮断され外部へは送出されなくなるため、発光部１１１から出力された光信号がＯＡＤＭ装置によりコアネットワークへと挿入され他の信号へ干渉することを防止することができる。
【００４０】
次に監視制御部１１７Ａは、インタフェース部１０３へ発光指示を送信する（Ｓ２１１）。発光指示を受信したインタフェース部１０３は、指定された波長可変発光部１１５−３より指定された波長にて発光する（Ｓ２１２）。インタフェース部１０３は、監視制御部１１７Ａへ発光完了応答を返す（Ｓ２１３）。発光完了応答を受信した監視制御部１１７Ａは、波長多重部１０２Ａへと受光確認指示を送信する（Ｓ２１４）。これを受信した波長多重部１０２Ａは、指定された受信部１０８−３での受光有無を判定する（Ｓ２１６）。波長多重部１０２Ａは、判定結果を監視制御部１１７に応答する（Ｓ２１７）。監視制御部１１７Ａは、受光確認結果に関わらず、インタフェース部１０３へ、発光指示にて発光させた波長可変発光部を発光停止するよう、発光停止指示を送信する（Ｓ２１８）。これを受信したインタフェース部１０２Ａは、指定された波長可変発光部１１５−３の発光を停止する（Ｓ２１９）。インタフェース部１０２Ａは、監視制御部１１７Ａへ発光停止完了応答を返す（Ｓ２２１）。
【００４１】
監視制御部１１７Ａは、発光停止完了応答を受信後、波長フィルタ部１２１での接続確認に使用した波長の信号の遮断を解除するため、波長多重部１０２Ａへフィルタ通過指示を送信する（Ｓ２２２）。インタフェース部１０２Ａは、波長フィルタ部１２１で指定された波長を通過するよう設定する（Ｓ２２３）。インタフェース部１０２Ａは、監視制御部へと応答を返す（Ｓ２２４）。
【００４２】
ここでは、波長多重部１０２Ａから受信した受光有無確認結果が受光有りであり、監視制御部１１７Ａは、インタフェース部の波長可変発光部１１５−３と波長多重部側受光部１０８−３間の接続が正常に行なわれていると判定し、接続確認結果が正常であったことを示すメッセージを指示元であるローカル制御端末１２０へと返す（Ｓ２２６）。
【００４３】
図９を参照して、受光部における受光有無の確認方法を説明する。図９において、受光確認指示を受けた波長多重部１０２Ａの受光監視部１１０は、指定された受光部１０８−３に対応する光強度監視部１０９−３における受光強度が閾値を超えているか判定する（Ｓ８）。受光監視部１１０は、閾値を超えていれば（ＹＥＳ)、受光有りと判定する（Ｓ９)。ステップ８で、閾値以下であれば（ＮＯ）、受光監視部１１０は、受光なしと判定する（Ｓ１０）。
【００４４】
図１０を参照して、監視制御部１１７Ａでの接続確認に使用する波長の決定方法を説明する。図１０において、監視制御部１１７Ａは、ローカル制御端末１２０からの接続確認指示メッセージ中の「波長の指定有無」が「指定有り」か判定する（Ｓ１１）。ありのとき、監視制御部１１７Ａは、指定波長が使用中かを確認する（Ｓ１２）。使用中でない場合、監視制御部１１７Ａは、指定波長を接続確認に使用する波長に決定して（Ｓ１３）、終了する。ステップ１２で指定波長が既に使用されている場合、監視制御部１１７Ａは、指定波長が使用中であるため接続確認が実施不可であることを接続確認実行指示発行元であるローカル制御端末１２０へ応答し（Ｓ１４）、接続確認を中止する。
【００４５】
ステップ１１で「波長の指定有無」が「指定なし」であった場合、波長管理テーブル１２２を用いて未使用波長を検出する。
【００４６】
波長管理テーブル１２２上の情報は、監視制御部１１７Ａがインタフェース部１０３へ発光指示または発光停止指示を送信するたびに該当波長の使用状態を更新されるため、常に最新の情報が保たれている。
【００４７】
監視制御部１１７Ａは、未使用波長を検出するため、波長管理テーブル１２２を波長λ１から順に探索し（Ｓ１５−Ｓ１６）、使用状態が未使用であれば、その波長を接続確認に使用する波長として決定して（Ｓ１７）、終了する。これを波長λ１から波長λＮまで繰り返し、全波長が使用中であった場合、監視制御部１１７Ａは、ローカル制御端末１２０へ未使用波長がないため接続確認ができないことを応答し（Ｓ１８）、接続確認を中止する。
【００４８】
上記手段により、インタフェース部側発光部と波長多重部側受信部のケーブル接続の正常性を確認した後、その箇所を実際にサービスに使用するため、インタフェース部側発光部を発光させる場合、ローカル制御端末１２０ではなく、ネットワーク全体での波長の使用状態を把握することができるオペレーション装置１２３により実施する必要がある。
【００４９】
オペレーション装置１２３は、波長多重装置１０１Ａの監視制御部１１７Ａが持つ波長管理テーブルと同様に、コアネットワークを構成する装置で使用できる全ての波長について使用状態を管理しており、サービス開始のためにインタフェース部の発光部へ発光を指示する場合、オペレーション装置１２３によって、コアネットワーク内で使用されていない波長を選択し、指示することとする。
【００５０】
課題として述べたように、波長多重部１０２Ａとインタフェース部１０３との接続を確認するために、インタフェース部１０３を発光させた場合、波長多重部１０２Ａ内部の合分波部１０５での干渉、接続確認に用いた光信号がコアネットワークへと挿入するための光挿入分岐装置における干渉、と２箇所で干渉が起こる可能性がある。本発明では、未使用の波長を自動的に検出して接続確認に使用する方法により合分派部１０５での干渉を回避し、さらに波長フィルタ部１２１によって接続確認に使用される光信号が装置外部へ送出されることを阻止することにより、コアネットワークへ挿入時の干渉を回避することができる。
【符号の説明】
【００５１】
１０１…波長多重装置、１０２…波長多重部、１０３…インタフェース部、１０４…トランスポンダ、１０５…合分波器、１０６…クライアントネットワーク側外部装置、１０７…ＯＡＤＭ装置、１０８…受光部、１０９…光強度監視部、１１０…受光監視部、１１２…装置内通信部、１１３…受光部、１１５…波長可変発光部、１１６…装置内通信部、１１７…監視制御部、１１８…装置内通信部、１１９…外部通信部、１２０…ローカル制御端末、１２１…波長フィルタ部、１２２…波長管理テーブル、１２３…オペレーション装置。
【図１】
2012249055.tif 000003
【図２】
2012249055.tif 000004
【図３】
2012249055.tif 000005
【図４】
2012249055.tif 000006
【図５】
2012249055.tif 000007
【図６】
2012249055.tif 000008
【図７】
2012249055.tif 000009
【図８】
2012249055.tif 000010
【図９】
2012249055.tif 000011
【図１０】
2012249055.tif 000012